(57)【要約】      （修正有）【課題】通学用図書バックをアレンジし、装着が容易でバックとしても防災頭巾としても機能的な防災頭巾の提供。【解決手段】手提げ紐部２３，２４の８つのボタンの着脱とループにより紐を防災頭巾時のあご紐として利用する他、縦、横、斜め、リュックサック型と全７パターンの形状を可能にした。頭巾使用時の貴重品収納小物バックを附属した。【選択図】図１
0003132254.tif 000002
【実用新案登録請求の範囲】
【請求項１】
小人の使用頻度の高い通学用図書バックや通園バックを緊急避難時に防災頭巾として利用できるようバック本体の三方の角を丸くし、双方向から開閉自在なファスナーを取付けたことを特徴とする、小人でも防災頭巾として自在に開口装着可能な手提げ袋兼用防災頭巾。
【請求項２】
手提げ紐を本体片面４ヶ所、両面８ヶ所のボタンで完全着脱可能にしたことにより、側面それぞれのボタンとボタンホールの組み合わせを自在に変えることにより、縦型、横型手提げ紐長型、縦型手提げ紐短型、横型ななめ掛け型、縦型リュックサック型、横型リュックサック型、手提げ紐無し型の７パターンのバック型形状に自在に変化できることを特徴とする手提げ袋兼用防災頭巾。
【請求項３】
荷物の重さや好みで様々な形状として使用した際、バックと手提げ紐が固定されるよう、縦型、横型それぞれの形状にした際の手提げ紐用固定ループを本体側面に各２ヶ所づつ、計８ヶ所取り付けたことを特徴とする手提げ袋兼用防災頭巾。
【請求項４】
緊急避難時の誘導指示が聞き取れるよう、防災頭巾使用時には本体を反転させ、本体外側に付属している固定位置が内側中央部にくるようボタンの位置を考慮したことを特徴とする手提げ袋兼用防災頭巾。
【請求項５】
防災頭巾使用時の貴重品収納のため、本体のボタンでも着脱可能なウエストポーチとしても使用可能な小物収納バックを付属したことを特徴とする手提げ袋兼用防災頭巾。
【請求項６】
手提げ袋の手提げ紐を、両側面のファスナー側のボタンをそれぞれ２ヶ所外し防災頭巾のあご紐として使用していることを特徴とする手提げ袋兼用防災頭巾。
【請求項７】
本体袋底部の部分に添え木としても利用できる竹定規を入れるポケットを作成したことを特徴とする手提げ袋兼用防災頭巾。
【請求項８】
手提げ紐の着脱により、ランドセルに縦型、横型をセットできることを特徴とする手提げ袋兼用防災頭巾。
【考案の詳細な説明】
【技術分野】
【０００１】
本考案の手提げ袋兼用防災頭巾は、主として発生予測の難しい地震や火災等の発生時の緊急避難時に、安全に避難するため必要となる防災頭巾を、児童にとって身近な通学用児童図書バックを防災頭巾兼用バックとして作成し、登下校、在校、在宅時などの各時間帯において万が一、緊急避難する際に小人が簡単装着できる機能を持たせたことで、小人のみならず大人も共用可能となった手提げ袋兼用防災頭巾に関するものである。
【背景技術】
【０００２】
類似の手提げ袋兼用防災頭巾は、主に大人用に考案されていることから、小人が利用しようとすると、大き過ぎて前方が見えなかったり、厚すぎたり、バッグから防災頭巾への移行が複雑だったり、小人が普段より身近に持てる手提げ袋兼用防災頭巾ではない上に、軽傷のケガ等の際には周囲の大人でも応急手当てが可能な機能や、小人が家族と離散して災害が発生した場合にも、家族との早期連絡を可能にする機能を持った手提げ袋兼用型防災頭巾が必要であると考えたことから、小人が普段利用頻度の高い通学用図書バックを利用して、簡単に防災頭巾として装着可能なデザインの手提げ袋兼用型防災頭巾を考案した。
【０００３】
また、従来の手提げ袋兼用型防災頭巾は、防災頭巾として使用した場合、貴重品など収納できなかったため、小物用収納バックを付属することにより、防災頭巾としての使用時に貴重品を収納したり、避難の際に必要になる薬等を携帯しておくことを可能にしようとするものである。
【０００４】
また、小人の通学バックの手提げ紐を着脱可能にすることにより、小人のみならずデザイン的にも機能的にも充実した大人の手提げ袋兼用型防災頭巾としてアレンジできるように、７パターンの形状を可能にしたものである。
【考案の開示】
【考案が解決しようとする課題】
【０００５】
今後大地震などの発生がいかなる時間帯に起こるか予想できない状況の中、小人が自宅以外で災害にあった場合や、大人が非常持出品の準備のない外出時に地震が発生した場合において、建物の密集した場所等を徒歩で避難することによる落下物から頭部を保護するために必要最低限の備えとして、防災頭巾は携帯しておきたいと考えられるが、小人から大人まで利用可能な７パターンの形状変化が可能な手提げ袋兼用型防災頭巾は無く、この課題解決のために児童通学用図書バックをアレンジして作成した本手提げ袋兼用型防災頭巾を考案した。
【０００６】
また、日中に地震が発生した場合においては家族と離散して被災する可能性も高く、ケガの有無に関わらず、一刻も早く家族との早期連絡に繋がる工夫や、被害を最小限におさえるために、止血などのケガの応急手当て等が迅速にできる機能や、万が一、救助が必要になった際の輸血時に必要な血液型や、アレルギー体質や持病の有無等、生存に大きな影響のある情報については、被災した際においても円滑に伝えられる工夫が求められていることから、本手提げ袋兼用型防災頭巾を考案した。
【０００７】
また、災害発生時に必要な防災頭巾が、一日を通じて身近にあり、小人でも簡単に装着できるような形状の本手提げ袋兼用型防災頭巾を考案した。
【０００８】
この手提げ袋兼用型防災頭巾は、手提げ紐をボタンで完全着脱可能にしたことで、側面それぞれ４ヶのボタンとボタンホールの組み合わせを自在に変えることにより、縦型、横型手提げ紐長、縦型手提げ紐短、横型ななめ掛け、縦型リュックサック型、横型リュックサック型、手提げ紐無し型と、小人のみならずデザイン性において大人も共用できるよう工夫が求められることから、年齢や用途や好みに応じて様々な形状で利用可能にした。
【０００９】
また、様々な形状のバックとして使用した際に、バックと手提げ紐が固定されるような工夫が求められるため、縦型、横型それぞれの形状にした際の手提げ紐用固定ループを、手提げ袋兼防災頭巾の本体側面に各２ヶ所、計８ヶ所作成することで手提げ紐の遊びを解決した。
【００１０】
また、冬期の避難所における頭部防寒の用途としての機能も必要であることから、本考案手提げ袋兼用型防災頭巾は防寒性の高いキルト布と難燃性の生地の縫合とすることにより、保温効果を持たせた。
【００１１】
また、防災頭巾を使用する際の課題として耳を頭巾で塞いでしまい、誘導の指示などを十分聞き取れないことを防ぐ工夫として、本考案手提げ袋兼用防災頭巾をリバーシブルに使用することで、本体外側に付属している紐の固定位置が内側中央部からとなることで、耳を完全にふさぐことなく使用することが可能となった。
【００１２】
また、防災頭巾使用時における貴重品の収納についての解決策として、本考案手提げ袋兼用型防災頭巾の外側に手提げ紐固定用に取り付けられている４ヶ所のボタンの着脱を利用した親子バックを付属することにより災害時には、貴重品を入れて取り外し、ウエストポーチとして使用することを可能にし、避難時の際の安全確保のため手提げ携帯品をなくすこととした。
【課題を解決するための手段】
【００１３】
本考案手提げ袋兼用防災頭巾は、小人が通学時に使用する頻度の高い通学用図書バッグを簡単に防災頭巾にすることができる機能を持たせたことで、小人の通学途中のみならず登校後の校舎教室内机横にかけておける他、帰宅後の家庭内においても、比較的使用しやすい所定の場所に置かれている性質を持つことから、非常持出袋よりも身近に持ち出すことが可能で、日々使い慣れているため就寝時等の地震発生の際にも、慌てずに装着することが可能になると考えられる。
【００１４】
また、通学用図書バッグは小人と共に移動するという特性を持つことから、２４時間どの時間帯に地震が発生しても、身近にある使い慣れた通学バッグを防災頭巾として使用することができ、操作はファスナーの開閉とボタンの脱着のみであるため小人でも簡単に防災頭巾として、頭部に装着可能になる事で、避難時に想定される建物の落下物等から頭部を保護することができる。
【００１５】
また、袋裏側に難燃性の生地を使用し縫合していることから、防災頭巾として装着する場合には、内側外側をリバーシブルに反転させ装着することにより、万が一の火災発生時には、頭部を火災の熱等から保護することができる。
【００１６】
また、地震発生が夜間の場合の停電時における安全な避難のために反射蛍光テープを使用し、小人が徒歩で避難していることが停電時にも周囲に判別可能な機能を持たせた他、冬期の避難先における厳しい寒さを解決するために、キルト布と難燃性の布などを縫合し、頭部防寒としての役割も持たせた。
【００１７】
小物収納バック開閉部分内側に、家族と離れて避難した場合の際の連絡先を記載する欄をもうけ、家族との早期連絡が可能となるようにした。
【００１８】
また、袋内側部分に三角巾を入れるポケットと、袋底部の部分に竹定規を入れるポケットを作成し、それぞれのポケットに三角巾と竹定規をセットし携帯することにより、ケガ等の際の応急手当ての道具として使用することが可能となり、直接圧迫止血法もしくは間接圧迫止血法などの応急手当ての際の添え木の代わりに竹定規を利用し、清潔な三角巾を用いて速やかに止血もしくは骨折部分の固定等の手当てをすることができるようになった。
【００１９】
従来の手提げ袋兼用防災頭巾は、ファスナー部が４方とも直角で一気に開閉が難しかったが、小人が三方のファスナーを簡単に開閉可能にするために、本考案手提げ袋兼用防災頭巾は、ファスナー部分の角三面に丸みを持たせたことを特徴とする。
【００２０】
また、従来の防災頭巾は機能的であるものの、デザイン性の面や、好みの柄の選択などが難しかったが、本考案手提げ袋兼用型防災頭巾は、小人の好みの生地を利用して作成できる日常使いの児童用図書バッグの形状を特徴とし、持ち手の部分のボタンで着脱自在にしたことにより、大人のタウンバッグにも使用できる手提げ袋兼用型防災頭巾となったことで、小人から大人までが共用可能で簡単に装着でき頭部等を保護できる防災頭巾として提供するものである。
【００２１】
小人の通学の際、手荷物が多い時にも常に携帯してもらうことを想定し、手提げ紐をボタンで着脱可能にし、ランドセルに簡単に携帯できるよう工夫し、また、下校後、塾等に出かける際には、ボタンのかけ方を工夫することで、簡単に背中に背負う形状のリュックサック型バックにも利用可能とした。
【００２２】
大人のタウンバッグとして使用した場合には、手提げ紐を簡単に着脱でき、中身の重量や好みで、縦横、ななめに自在に持てるようにした。
【００２３】
本考案手提げ袋兼用防災頭巾の課題として、防災頭巾として使用した際の、貴重品の収納についてがあるが、手提げ紐の着脱用についているボタンに小物収納バックを着脱できるようにすることで、貴重品は防災頭巾として利用している場合は、この親子バックに収納しておくことが可能になった。
【００２４】
本考案手提げ袋兼用防災頭巾の親子バックは、ボタンの着脱により緊急避難時ウエストポーチとして携帯可能な形状とした。
【００２５】
本考案手提げ袋兼用型防災頭巾の内側と外側を反転させ、内側の難燃性の生地を外側になるよう使用することで、紐の固定位置が内側中央部からとなり、紐を結んだ際に、耳横部分に空間ができ耳をふさぐことなく使用することが可能となった。
【考案の効果】
【００２６】
本考案の手提げ袋兼用防災頭巾は、災害時避難ために最小限必要とされている防災頭巾を、小人が日常利用する頻度の高い通学バックの三方をファスナーで開閉し、手提げ紐を片面４ヶ所両面８ヶ所のボタンで、簡単に着脱可能にした事により、縦型バック、横型手提げ紐長バック、縦型手提げ紐短バック、横型ななめ掛けバック、横型リュックサック、縦型リュックサック、手提げ紐無し型と、７パターンのバックの形として使用することが可能となった。
【００２７】
また、小物収納バックについては、いずれの形状についても本体のボタンにより着脱可能となっている。
【００２８】
本考案の手提げ袋兼用防災頭巾は、手提げ紐のボタンの着脱でランドセルに縦型、横型ともにセットすることが可能とした。
【００２９】
本考案の手提げ袋兼用防災頭巾は、軽くて丈夫な布地またはキルト地等と難燃性の性質を持つ生地を二重に縫合し、防災頭巾として使用し避難をする際には、落下物や熱から熱から頭部を保護するようにし、通学、通勤、タウン用のバッグの形にすることで、外出時のみならず在宅時や就寝時も、常に身近に防災頭巾を携帯することを可能にしたものである。
【００３０】
本考案の手提げ袋兼用防災頭巾は、内側に三角巾と底部に竹定規を入れるポケットを付け携帯する事により、万が一の、災害発生時の際に被害を最小限に抑えるために必要な軽症な応急救護の手当てを可能とした。
【００３１】
本考案の手提げ袋兼用防災頭巾は、底部ポケットに竹定規をセットすることにより、布製バックでありながら、一定の硬さと安定性を持たせた。
【００３２】
本考案の手提げ袋兼用防災頭巾は、付属の親子ポーチ開閉部分内側に家族の連絡先や本人の血液型やアレルギーや薬に対する特記事項や持病等を記入することで、災害時のみならず、日常生活においても家族との早急な連絡や医療機関が応急手当てをする際に必要な情報が、本考案の手提袋兼用防災頭巾の使用により伝達可能になると考えられる。
【００３３】
また、今までの防災頭巾は機能的であるが、好みの柄の選ぶことができなかった。本考案の手提げ袋兼用防災頭巾は、表布は小人の通学用図書バックでもあるため好みの柄を選ぶことができることでお気に入りの通学用図書バックとなり、より使用頻度が増し防災意識を高める効果を持つと考えられる。
【考案を実施するための最良の形態】
【００３４】
本考案の手提げ袋兼用防災頭巾は、まず本体部分として、やわらかい厚手のキルト布の表地と難燃性の裏地を縫合して作成する。本体の三方に双方向開閉可能なファスナーを取りつけ、ファスナーに沿って三方の角それぞれに丸みを持たせた。裏地の難燃性の布地には、側面に三角巾を収納しておけるポケットをもうけ、本体底部には、手提げ袋として使用した際の底板として、また緊急手当てが必要になった際のそえ木として利用できる竹定規を収納できるポケットを作成した。また、本体側面には、片面それぞれ４ヶ所、両面で８ヶ所のボタンを取り付けることにより、ボタンホールを同数ほどこした手提げ紐部分の完全着脱が可能となった。この手提げ紐の脱着により、７パターンの形状が可能になった。また、この手提げ紐の遊びやぐらつき防止のために、縦型、横型それぞれに紐押さえ用のループを、４ヶ所ずつもうけた。小物収納バックは、本体表地と同じ厚手のやわらかいキルト布を用い、裏地は名前や情報を記入するため無地とし、まちを作り開閉蓋をつけ、ホックでとめた。小物収納バック本体裏部分より手提げ袋兼用防災頭巾の本体側面のボタンに脱着可能にするため、ボタンホールを４ヶ所にもうけた。この小物収納バックは、手提げ袋兼用防災頭巾本体から外してウエストポーチとして使用可能としたことから、小物収納バックの裏部にもうけられたボタンにセットし、各自のベルト等に通して使用する。
【実施例】
【００３５】
本考案の手提げ袋兼用防災頭巾は、表地をやわらかいキルト生地、裏地を難燃性の生地の二重に縫合し、手提げ袋として使用した場合、側面２・３および４の一部に双方向から開閉可能なファスナーを使用し、小人にも開閉スムーズにするため、本体三方角部分に丸みを持たせた形状を特徴とする。
【００３６】
また、手提げ紐を本体両面部分１８・１９・２０・２１の４ヶ所のボタンと、手提げ紐の４ヶ所のボタンホールで着脱可能とし、防災頭巾使用時には、２３の手提げ紐の場合は、図３の５・６のボタンを外し、また２４の手提げ紐の場合は、２０・２１の手提げ紐のボタンを外して、頭巾のあご紐として使用するものである。
【００３７】
また、手提げ紐２３・２４の遊びを解決するため、手提げ紐固定用ループ９・１０・１１・１２を付けた。
【００３８】
この着脱可能な手提げ紐２３・２４のボタンホールとボタンの組み合わせにより、縦、横、斜めバック、縦、横リュックサック型など多様な形状が可能となった。
【００３９】
また、図１、および図５の小物収納親子バックは、本体表地と同じやわらかいキルト布で作成し、側面１６と、まち部１３・１４・１５からなり、開閉蓋１７のホックにより開閉する。
【００４０】
また、図５により、この小物バックの手提げ紐部２５は、２ヶ所のボタンホールからなり、もう一方の手提げ紐部２６の２ヶ所のボタンホールとボタン２８の組み合わせにより、手提げ袋にもなる小物収納バックとし、本体の手提げ紐部に掛けて使用可能である。
【００４１】
また、この親子バックの手提げ紐部２５・２６の２ヶ所づつのボタンホールを、図１のようにボタン１８・１９・２０・２１に、それぞれ着脱することも可能である。
【００４２】
本考案の手提げ袋兼用防災頭巾は、防災頭巾使用時は手提げ紐を固定しているボタン５・６・２０・２１を外しあご紐として結んで使用し、本体は裏表を反転させて図３、図４のように使用するため、裏地として縫合した難燃性の生地が外側になり、手提げ紐２３・２４が内側に来るようになる。
【００４３】
防災頭巾として使用した場合には、図４のように内側に作成したポケット２２が外側となるため三角巾等は小物収納バックに収納する。
【００４４】
また、図４の２７のポケットは、本体裏側底部にもうけられた竹定規用のポケットである。
【産業上の利用可能性】
【００４５】
災害時緊急避難の際必要とされる防災頭巾を、小人の使用頻度の高い通学用児童図書バックと通園バックを、ファスナーの開口とボタンの着脱反転の簡単な操作で防災頭巾として装着可能にしたので、小人から大人まで好みの布と手提げ紐のアレンジでのみで、様々な形状の手提げ袋兼用防災頭巾として利用可能となり、産業上の利用可能性もあると考えられる。
【図面の簡単な説明】
【００４６】
【図１】本考案手提げ袋兼用防災頭巾の小物収納バックセット時の正面図
【図２】本考案手提げ袋兼用防災頭巾の小物収納バックなしの正面図
【図３】本考案手提げ袋兼用防災頭巾の頭巾使用時の斜視図
【図４】本考案手提げ袋兼用防災頭巾の表裏反転時の側面図
【図５】本考案手提げ袋兼用防災頭巾の小物収納バック正面図
【図６】本考案手提げ袋兼用防災頭巾の小物収納バック裏面斜視図
【符号の説明】
【００４７】
１  手提げ袋本体側面、防災頭巾時頭部
２  ファスナーによる開口部
３  ファスナーによる開口部
４  手提げ袋本体底部、防災頭巾時後ろ側面部
５  ボタン
６  ボタン
７  ボタン
８  ボタン
９  手提げ紐固定用ループ
１０手提げ紐固定用ループ
１１手提げ紐固定用ループ
１２手提げ紐固定用ループ
１３小物収納バック側面部
１４小物収納バック底部
１５小物収納バック側面部
１６小物収納バック表面部
１７小物収納バック開閉蓋部
１８ボタン
１９ボタン
２０ボタン
２１ボタン
２２ポケット
２３手提げ紐、防災頭巾時あご紐
２４手提げ紐、防災頭巾時あご紐
２５小物収納バック手提げ紐部
２６小物収納バック手提げ紐部
２７本体底部竹定規収納用ポケット
２８ボタン
２９ボタン
３０ボタン
【図１】
0003132254.tif 000003
【図２】
0003132254.tif 000004
【図３】
0003132254.tif 000005
【図４】
0003132254.tif 000006
【図５】
0003132254.tif 000007
【図６】
0003132254.tif 000008
【手続補正書】
【提出日】平成19年3月28日(2007.3.28)
【手続補正１】
【補正対象書類名】実用新案登録請求の範囲
【補正対象項目名】全文
【補正方法】変更
【補正の内容】
【実用新案登録請求の範囲】
【請求項１】
小人の使用頻度の高い通学用図書バックや通園バックを緊急避難時に防災頭巾として利用できるようバック本体の少なくとも二方の角を丸くし、双方向から開閉自在なファスナーを、前記少なくとも二方の角にかかるように取付けたことを特徴とする、小人でも防災頭巾として自在に開口装着可能な手提げ袋兼用防災頭巾。
【請求項２】
手提げ紐を本体片面４ヶ所、両面８ヶ所のボタンで完全着脱可能にしたことにより、側面それぞれのボタンとボタンホールの組み合わせを自在に変えることにより、縦型、横型手提げ紐長型、縦型手提げ紐短型、横型ななめ掛け型、縦型リュックサック型、横型リュックサック型、手提げ紐無し型の７パターンのバック型形状に自在に変化できることを特徴とする請求項１記載の手提げ袋兼用防災頭巾。
【請求項３】
荷物の重さや好みで様々な形状として使用した際、バックと手提げ紐が固定されるよう、縦型、横型それぞれの形状にした際の手提げ紐用固定ループを本体側面に各２ヶ所づつ、計８ヶ所取り付けたことを特徴とする請求項２記載の手提げ袋兼用防災頭巾。
【請求項４】
緊急避難時の誘導指示が聞き取れるよう、防災頭巾使用時には本体を反転させ、本体外側に付属しているボタン位置が内側中央部にくるようボタンの位置を考慮したことを特徴とする請求項３記載の手提げ袋兼用防災頭巾。
【請求項５】
防災頭巾使用時の貴重品収納のため、本体のボタンでも着脱可能なウエストポーチとしても使用可能な小物収納バックを付属したことを特徴とする請求項１、２、３又は４記載の手提げ袋兼用防災頭巾。
【請求項６】
手提げ袋の紐を、両側面のファスナー側のボタンをそれぞれ２ヶ所外し防災頭巾のあご紐として使用していることを特徴とする請求項２、３、４又は５記載の手提げ袋兼用防災頭巾。
【請求項７】
本体袋底部の部分に添え木としても利用できる竹定規を入れるポケットを作成したことを特徴とする請求項１、２、３、４、５、又は６記載の手提げ袋兼用防災頭巾。
【請求項８】
手提げ紐の着脱により、ランドセルに縦型、横型をセットできることを特徴とする請求項２、３、４、５、６又は７記載の手提げ袋兼用防災頭巾。